(57)【要約】【課題】地震時の振動によって、野縁と野縁受けの交点を固定するクリップが外れ、天井が落下する。【解決手段】両端部７にビス孔８などの固定手段を有する薄板材２であり、中間部３は、野縁９の下側に廻して、それより両端側の吊り部５によって、野縁９を下側から支え上る。薄板材２には折り目４・６が付加されており、その折り目４・６にて折ることにより、両端部を野縁受け１０の表面上に重ね合わせる。ビス１１などの固定手段によって両端部７を固定する。野縁９を吊り上げるように支え上げるため、野縁９と野縁受け１０の離脱を防ぐ。【選択図】図３
2008267012.tif 000002
【特許請求の範囲】
【請求項１】
野縁と野縁受けが交差する交点において、
その野縁と野縁受けを固定して天井落下を防止するクリップであって、
両端部に固定手段を有する薄板材よりなり、
薄板材の中間部は野縁の下側に廻して、それより両端側の吊り部によって野縁を下から支え上げ、
両端部を野縁受けの表面上にて重ね合わせられるよう、薄板材に折り目が付加されている
ことを特徴とする天井落下防止クリップ。
【請求項２】
請求項１にかかる天井落下防止クリップであって、
天井落下防止クリップの全体形状は略クランク形状の薄板材であり、
その薄板材の両端部側の吊り部を、野縁受けの左右両側に振り分けて左右から挟むようにし、
薄板材の両端部は野縁受けの上部水平面に固定するようにした
ことを特徴とする天井落下防止クリップ。
【請求項３】
請求項１にかかる天井落下防止クリップであって、
薄板材の両端部側の吊り部を、折り目から折り曲げて、両端部を互いに近接させて重ね合わせ、
野縁受けの垂直面に両端部を固定するようにした
ことを特徴とする天井落下防止クリップ。
【請求項４】
請求項１、２又は３にかかる天井落下防止クリップであって、
薄板材の両端部には、ビス孔が開設されている
ことを特徴とする天井落下防止クリップ。
【発明の詳細な説明】
【技術分野】
【０００１】
本発明は、天井ボードを取り付けるための野縁と、その野縁を支える野縁受けとの交点を簡単かつ機械的に固定し、天井落下を防止する天井落下防止クリップに関するものである。
【背景技術】
【０００２】
天井ボードを取り付けるための野縁を、その野縁を支える野縁受けに固定する手段として、実用新案登録第３１２３６９２号にかかるクリップや、実開昭６３−６２５１２号公報に記載されたクリップが開示されている。
前者のクリップも後者のクリップも、下端部に形成した爪を、溝状の野縁の溝の中に引っ掛け、上端部を屈曲して野縁受けの上部水平面に引っ掛けて、野縁と野縁受けとの交点にて固定するものであった。
【０００３】
これらクリップは、地震時の振動によって、引っ掛けた部分が破損したり、爪の係合が外れたりして、野縁受けから野縁が外れることがあり、それによって天井が落下するという事故が発生していた。
天井の落下防止には、この野縁と野縁受けの交点の固定が重要であって、この野縁と野縁受けの交点を、詳しくは交点の一定割合を機械的に固定することによって、天井の落下をかなりな程度防止することが出来ることが判ってきた。
【０００４】
図１１に示すのは、野縁受けａに補強ビスｂによって、補強クリップｃをビス固定して補強する例であるが、このようなクリップｃの固定であると、クリップｃの下端の野縁ｄと引掛ける部分は上記したクリップと同様の爪で引掛けるタイプで、その引掛ける爪が同じように外れる恐れがあった。
図１２に示すのは、野縁ｄと野縁受けａの固定を補強するための補強金物ｅであって、この補強金物ｅを複数本のビスｆによって野縁ｄと野縁受けａにそれぞれ固定するものである。このような補強金物ｅであると、多数本のビスｆを止める作業が必要で、天井裏の狭い空間でのビス止め作業が多いのは、非常に面倒な作業であった。
【０００５】
また、地震時の揺れが天井に生じないように、天井裏に耐震用の斜めブレースを設置するという特開２００３−１３８６８８号公報に記載の手段があるが、このブレースの下端部は、吊りボルト下部に取付けたハンガーの上部に取付けられている。
地震時の揺れによって吊りボルトの揺れが防止されても、その下のハンガーより下に大きなせん断力が働き、ハンガーや、それに近接するクリップに損傷が生じたり、クリップが外れたりすることがあった。
【特許文献１】実用新案登録第３１２３６９２号公報
【特許文献２】実開昭６３−６２５１２号公報
【特許文献３】特開２００３−１３８６８８号公報
【発明の開示】
【発明が解決しようとする課題】
【０００６】
本発明が解決しようとする課題は、野縁と野縁受けの交点の固定手段が、比較的外れ易い構造であったことである。
【課題を解決するための手段】
【０００７】
本発明にかかる天井落下防止クリップは、  
野縁と野縁受けが交差した交点において、
その野縁と野縁受けを固定して天井落下を防止するクリップであって、
両端部に固定手段を有する薄板材よりなり、
薄板材の中間部は野縁の下側に廻して、それより両端側の吊り部によって野縁を下から支え上げ、
両端部を野縁受けの表面上に重ね合わせられるよう、薄板材に折り目が付加するものである。
また、上記天井落下防止クリップでおいて、
天井落下防止クリップの全体形状は略クランク形状の薄板材であり、
その薄板材の両端部側の吊り部を、野縁受けの左右両側に振り分けて左右から挟むようにし、
薄板材の両端部は野縁受けの上部水平面に固定することも可能である。
更に、上記天井落下防止クリップにおいて、
薄板材の両端部側の吊り部を、折り目から折り曲げて、両端部を近接させて重ね合わせ、
野縁受けの垂直面に両端部を固定することも可能である。
更には、上記天井落下防止クリップでおいて、
薄板材の両端部に、ビス孔を開設することも可能である。
【発明の効果】
【０００８】
この発明にかかる天井落下防止クリップは、以上のような構成を有するため、以下の効果を得ることができる。
＜ａ＞薄板材の中間部を野縁の下側に回して、野縁を下から支え上げ、両端を野縁受けに固定するため、振動によって多少変形しても野縁と野縁受けとが離脱することなく、天井の落下を防ぐことが可能となる。
＜ｂ＞薄板材にはその表面に折り目が付加されているため、薄板材を容易に屈曲して所定の形態に折曲げ形成でき、取付け作業を行える。
＜ｃ＞薄板材の両端を重ねて固定するため、その固定作業は容易で、ビスなどの固定であれば、一本のビス止めでよい。
＜ｄ＞薄板材の両端部側を、野縁受けの左右両側に振り分けて、左右から挟むようにすることにより、野縁と野縁受けの交点を、結束線で縛りつけるような形となり、両者の交点をより柔軟に拘束することで離脱を防止することができる。
＜ｅ＞従来の野縁と野縁受けとの交点を固定する固定金具を使用して、従来の作業性の良さを確保し、且つ、適宜箇所の交点のみ本発明のクリップを使用することにより、天井の落下を防止することが可能となる。
＜ｆ＞取付け時に、両端部を一旦開いてから交差部に巻きつけて閉じるように薄板材の両端部を重ねて固定するため、下側の端部にバネ状の反発が生じ、そこをビス止め等することによって、下側の端部がスプリングワッシャーのような機能を果たす。従って、ワッシャー効果によってビスが外れにくく、離脱し難くなる。
【発明を実施するための最良の形態】
【０００９】
本発明にかかる天井落下防止クリップは、薄板材の中間部を野縁の下側に回し掛け、野縁を下から支え上げ、両端部を重ねて野縁受けに固定することにより、野縁と野縁受けとの交点を柔軟に拘束し、離脱しないようにするものである。
以下、図に示す実施例に基づき、本発明を詳細に説明する。
【実施例１】
【００１０】
＜１＞薄板材
図１に示す、クリップ１は、短冊状の薄板材２を、その中間部３の中心Ｏを中心として、点対称に形成してクランク形状としたものである。
中心Ｏから両端側へ少し離れて、それぞれ折り目４が付加され、その折り目４から先端側に、吊り部５がそれぞれ伸びている。
吊り部５より先端近くにも、折り目６がそれぞれ付けられており、薄板材２のそれより先端側は、方形状の固定部７となっており、中心にビス孔８が開けられている。
薄板材２は、鋼製の板材であってもよいし、合成樹脂製、複合材料製、アラミド繊維や炭素繊維などの膜状材によって形成したものでもよい。
【００１１】
＜２＞野縁の支え上げ
上記薄板材２による野縁９と野縁受け１０の交点の固定方法について説明する。
野縁９も野縁受け１０も、溝型鋼であって、野縁受け１０と交差する方向に伸びるとともに、野縁受け１０の下面に沿って野縁９が配されている。
薄板材２の中間部３を、野縁９の下側に廻し掛ける。
折り目４にて薄板材２を屈曲して、左右の吊り部５を野縁受け１０の左右両側に振り分け、野縁受け１０を、左右の吊り部５によって左右から挟むようにする。
このようにして、薄板材２によって、野縁８を支え上げるようにする。
【００１２】
＜３＞固定
折り目６にて薄板材２を屈曲して、両端の固定部７を野縁受け１０のフランジである上部水平面１０a上にて上下に重ねる。
重ね合わせた固定部７のビス孔８にビス１１を通し、上部水平面１０ａにねじ込んで、固定する。
ねじ込むビス１１は、一本であるため、固定作業は容易である。
両端部７を重ね合わせると、折り曲げたことにより薄板材２に元の平面状の状態に戻ろうとする復元力が働くことで、下側の端部７にバネ状の反発力が生じ、そこをビス１１止めすることにより、下側の端部がスプリングワッシャーのような機能を果たし、ビス１１の離脱がし難くなる。
固定部７の固定は、ビス以外にも、接着剤や溶接を使うことも可能であり、或いは、固定部７に互いに引掛けることが可能なように鉤状の突片を形成しておき、この突片を引掛けてカシメるなどして固定してもよい。
本願発明にかかる天井落下防止クリップ１は、全ての野縁９と野縁受け１０の交点の固定に使用せずとも、交点のうち一部に採用し、他の交点は、従来から採用されている公知の固定クリップを採用して固定することも可能である。
従来のクリップが地震時の振動によって外れても、本願発明のクリップ１は野縁９の下側に廻して、支えあげるため、野縁９が野縁受け１０から離脱することがなく、天井の落下を防止できる。
【実施例２】
【００１３】
＜４＞他の天井落下防止クリップ
図６に示すのは、本発明にかかる他の天井落下防止クリップであって、短冊形状の薄板材２の中間線ｐに対して両側が線対称になっている。
中間部３の左右には折り目４が野縁幅の間隔を置いてそれぞれ付けられ、それより両端側の吊り部５には、一側から二本の折り目１２と１３が付けられている。
端部７には、それぞれビス孔８が形成されている。
【００１４】
＜５＞固定方法
上記実施例１と同様に、実施例２の天井落下防止クリップ１も、中間部３を野縁９の下側に廻しかけ、その両側の吊り部５によって支え上げる。
吊り部５には、折り目１２・１３が形成されており、この折り目１２を境に山折りにし、折り目１３を境に谷折りにして、両端部７が互いに斜めに近接するようにし、野縁受け１０のウェッブである垂直面１０ｂにて重ね合わせる。
重ね合った両端部７のビス孔８にビス１１を通し、垂直面１０ｂにねじ込んで固定する。
【図面の簡単な説明】
【００１５】
【図１】天井落下防止クリップの第１実施例の展開図である。
【図２】第１実施例の折り目を境に折った斜視図である。
【図３】第１実施例のクリップによって野縁と野縁受けを固定した状態の斜視図である。
【図４】図３の実施例の側面図である。
【図５】図３の実施例の底面図である。
【図６】第２実施例の展開図である。
【図７】第２実施例の折り目を境に折った斜視図である。
【図８】第２実施例のクリップによって野縁と野縁受けを固定した状態の斜視図である。
【図９】図８の実施例のクリップの正面図である。
【図１０】図９の実施例のクリップの側面図である。
【図１１】従来の補強クリップの側面図である。
【図１２】従来の補強クリップの側面図である。
【符号の説明】
【００１６】
１：天井落下防止クリップ
２：薄板材
３：中間部
４：折り目
５：吊り部
６：折り目
７：端部
８：ビス孔
９：野縁
１０：野縁受け
１１：ビス
１２：折り目
１３：折り目
【図１】
2008267012.tif 000003
【図２】
2008267012.tif 000004
【図３】
2008267012.tif 000005
【図４】
2008267012.tif 000006
【図５】
2008267012.tif 000007
【図６】
2008267012.tif 000008
【図７】
2008267012.tif 000009
【図８】
2008267012.tif 000010
【図９】
2008267012.tif 000011
【図１０】
2008267012.tif 000012
【図１１】
2008267012.tif 000013
【図１２】
2008267012.tif 000014